(57)【要約】【課題】  ユーザが切替スイッチを外部信号を選択する状態に切り替えたときに、外部信号に切り替えることをユーザに認識させることができるとともに、出力される音声信号のディストーション性能を悪化させることがない光ディスク装置を提供する。  【解決手段】  光ディスク装置１は、音声出力端子７ａに出力する音声信号の切替を、メカ的な操作で切り替えられた状態に連動して接点が動作するスライドスイッチ２１で構成したので、音声出力端子７ａに出力される音声信号のディストーション性能を悪化させることがない。また、スライドスイッチ２１の状態が再生音声信号を音声出力端子７ａに接続している状態から、外部入力音声信号を音声出力端子７ａに接続している状態に切り替わると、一定時間経過するまで、出力を内部信号から外部信号に切り替えることを示すＯＳＤ画像を重ね合わせた合成映像の再生映像信号を映像出力端子６ａに出力する。【選択図】  図１
2006148716.tif 000002
【特許請求の範囲】
【請求項１】
本体にセットされた光ディスクに記録されている映像および音声にかかるデータを読み取る読取手段と、
前記読取手段が読み取ったデータに基づく再生映像信号、および再生音声信号を生成する再生信号生成手段と、
前記再生信号生成手段が生成した前記再生映像信号、または外部入力端子に接続された機器から入力された外部入力映像信号の一方を選択的に映像出力端子に出力する映像信号切替手段と、
前記再生信号生成手段が生成した前記再生音声信号、または外部入力端子に接続された機器から入力された外部入力音声信号の一方を選択的に音声出力端子に出力する音声信号切替手段と、を備えた光ディスク装置において、
前記音声信号切替手段は、前記再生音声信号、または前記外部入力音声信号の一方を選択的に音声出力端子に接続する接点を有し、メカ的な操作で切り替えられた状態に連動して前記接点が動作する切替スイッチであり、
前記切替スイッチの状態を検出する検出手段を備え、
前記再生信号生成手段は、前記検出手段により検出されている前記切替スイッチの状態が、前記再生音声信号を前記音声出力端子に接続している状態から、前記外部入力音声信号を前記音声出力端子に接続している状態に切り替わると、予め定められた一定時間だけ、所定のＯＳＤ画像を重ね合わせた再生映像信号を生成する手段であり、
前記映像信号切替手段は、前記検出手段により検出されている前記切替スイッチの状態が、前記再生音声信号を前記音声出力端子に接続している状態から、前記外部入力音声信号を前記音声出力端子に接続している状態に切り替わると、前記一定時間経過後に前記映像出力端子に出力する映像信号を前記再生映像信号から前記外部入力映像信号に切り替え、また、前記検出手段により検出されている前記切替スイッチの状態が、前記外部入力音声信号を前記音声出力端子に接続している状態から、前記再生音声信号を前記音声出力端子に接続している状態に切り替わったとき、前記映像出力端子に出力する映像信号を前記外部入力映像信号から前記再生映像信号に切り替える手段であり、
前記検出手段により検出されている前記切替スイッチの状態が、前記再生音声信号を前記音声出力端子に接続している状態から、前記外部入力音声信号を前記音声出力端子に接続している状態に切り替わると、前記一定時間経過するまでの間、前記音声出力端子への前記外部入力音声信号の出力を制限する音声出力制限手段と、
前記映像出力端子に出力された映像信号に基づく映像を表示する表示手段と、
前記音声出力端子に出力された音声信号に基づく音声を出力する音声出力手段と、を備えた光ディスク装置。
【請求項２】
本体にセットされた光ディスクに記録されている映像および音声にかかるデータを読み取る読取手段と、
前記読取手段が読み取ったデータに基づく再生映像信号、および再生音声信号を生成する再生信号生成手段と、
前記再生信号生成手段が生成した前記再生映像信号、または外部入力端子に接続された機器から入力された外部入力映像信号の一方を選択的に映像出力端子に出力する映像信号切替手段と、
前記再生信号生成手段が生成した前記再生音声信号、または外部入力端子に接続された機器から入力された外部入力音声信号の一方を選択的に音声出力端子に出力する音声信号切替手段と、を備えた光ディスク装置において、
前記音声信号切替手段は、前記再生音声信号、または前記外部入力音声信号の一方を選択的に音声出力端子に接続する接点を有し、メカ的な操作で切り替えられた状態に連動して前記接点が動作する切替スイッチであり、
前記切替スイッチの状態を検出する検出手段を備え、
前記再生信号生成手段は、前記検出手段により検出されている前記切替スイッチの状態が、前記再生音声信号を前記音声出力端子に接続している状態から、前記外部入力音声信号を前記音声出力端子に接続している状態に切り替わると、予め定められた一定時間だけ、所定のＯＳＤ画像を重ね合わせた再生映像信号を生成する手段であり、
前記映像信号切替手段は、前記検出手段により検出されている前記切替スイッチの状態が、前記再生音声信号を前記音声出力端子に接続している状態から、前記外部入力音声信号を前記音声出力端子に接続している状態に切り替わると、前記一定時間経過後に前記映像出力端子に出力する映像信号を前記再生映像信号から前記外部入力映像信号に切り替える手段である光ディスク装置。
【請求項３】
前記検出手段により検出されている前記切替スイッチの状態が、前記再生音声信号を前記音声出力端子に接続している状態から、前記外部入力音声信号を前記音声出力端子に接続している状態に切り替わると、前記一定時間経過するまでの間、前記音声出力端子への前記外部入力音声信号の出力を制限する音声出力制限手段を備えた請求項２に記載の光ディスク装置。
【請求項４】
前記映像信号切替手段は、前記検出手段により検出されている前記切替スイッチの状態が、前記外部入力音声信号を前記音声出力端子に接続している状態から、前記再生音声信号を前記音声出力端子に接続している状態に切り替わったとき、前記映像出力端子に出力する映像信号を前記外部入力映像信号から前記再生映像信号に切り替える手段である請求項２、または３に記載の光ディスク装置。
【請求項５】
前記映像出力端子に出力された映像信号に基づく映像を表示する表示手段と、
前記音声出力端子に出力された音声信号に基づく音声を出力する音声出力手段と、を備えた請求項２〜４のいずれかに記載の光ディスク装置。
【発明の詳細な説明】
【技術分野】
【０００１】
この発明は、ＣＤやＤＶＤ等の光ディスクを再生する光ディスク装置に関し、特に屋外でも使用できるように表示部およびスピーカを設けたポータブルタイプの光ディスク装置に関する。
【背景技術】
【０００２】
従来、ＣＤ、ＤＶＤ等の光ディスクに記録されている映像や音声を再生する光ディスク装置が実用化され、一般に普及している。また、屋外でも使用できるように、比較的小型の表示部、およびスピーカを設けたポーダブルタイプ（携帯型）の光ディスク装置も実用化されている。一般的な光ディスク装置には、出力を内部信号とするか、外部信号とするかを切り替える切替スイッチが設けられている。ここで言う、内部信号とは光ディスクに記録されているＡＶデータ（映像データおよび音声データ）に基づく再生映像信号および再生音声信号であり、外部信号とは外部から入力されている外部入力映像信号および外部入力音声信号である。
【０００３】
従来の一般的な光ディスク装置は、ユーザによりメカ的に操作された状態が保持されるスイッチ、例えばスライドスイッチ、を切替スイッチとして設けている。ユーザは、この切替スイッチの状態を確認することで、内部信号、または外部信号のどちらを選択しているのか確認できる。また、従来の光ディスク装置は、制御部でこの切替スイッチの状態を検出し、検出した状態に応じて、出力する映像信号（内部信号または外部信号）を切り替える映像信号切替部や、出力する音声信号（内部信号または外部信号）を切り替える音声信号切替部を制御する構成である（特許文献１〜３参照）。従来の一般的な光ディスク装置の映像信号切替部および音声信号切替部は、マルチプレクサで構成されている。
【０００４】
また、従来の光ディスク装置は、切替スイッチがメカ的に操作され、内部信号を選択している状態から、外部信号を選択している状態に切り替えられると、一定時間（例えば５秒程度）だけ、出力を外部信号に切り替えることを示すＯＳＤ画像（例えば「ＡＵＸ」の文字画像）を内部信号の映像に重ね合わせた再生映像信号を生成し出力する。切替スイッチが内部信号を選択している状態から、外部信号を選択している状態に切り替えられてから一定時間経過すると、映像信号切替部が出力する映像信号を外部信号に切り替えるとともに、音声信号切替部が出力する音声信号を内部信号から外部信号に切り替える。このように、内部信号から外部信号への切替は、実際の切替スイッチの操作に対して、一定時間遅らせている。このように構成している理由は、実際の切替スイッチの操作に対して略リアルタイムに内部信号から外部信号に切り替えた場合、本体に外部信号が入力されていないと、映像および音声の出力が突然停止するので、装置が故障したのではないかと誤解するユーザが多く、ユーザにこのような誤解をさせないためである。特に、ユーザが切替スイッチを操作したことに気づいていない場合、例えば装置本体に対して他の操作を行っているときに誤って切替スイッチを操作した場合、このような誤解が生じやすい。ユーザにこのような誤解をさせないために、実際の切替スイッチの操作に対して内部信号から外部信号への切替を一定時間遅らせ、この間にＯＳＤ画像により外部信号に切り替えることをユーザに認識させている。
【特許文献１】特開平１１−１４９７５７号公報
【特許文献２】特開２００３−２２８４００号公報
【特許文献３】特開２００２−２７１７１５号公報
【発明の開示】
【発明が解決しようとする課題】
【０００５】
しかしながら、従来の光ディスク装置は音声信号切替回路をマルチプレクサで構成している。マルチプレクサを使用すると、出力される音声信号に歪みが生じ、出力される音声信号のディストーション性能を悪化させるという問題があった。
【０００６】
この発明の目的は、ユーザが切替スイッチを外部信号を選択する状態に切り替えたときに、外部信号に切り替えることをユーザに認識させることができるとともに、出力される音声信号のディストーション性能を悪化させることがない光ディスク装置を提供することにある。
【課題を解決するための手段】
【０００７】
この発明の光ディスク装置は、上記課題を解決するために以下の構成を備えている。
（１）本体にセットされた光ディスクに記録されている映像および音声にかかるデータを読み取る読取手段と、
前記読取手段が読み取ったデータに基づく再生映像信号、および再生音声信号を生成する再生信号生成手段と、
前記再生信号生成手段が生成した前記再生映像信号、または外部入力端子に接続された機器から入力された外部入力映像信号の一方を選択的に映像出力端子に出力する映像信号切替手段と、
前記再生信号生成手段が生成した前記再生音声信号、または外部入力端子に接続された機器から入力された外部入力音声信号の一方を選択的に音声出力端子に出力する音声信号切替手段と、を備えた光ディスク装置において、
前記音声信号切替手段は、前記再生音声信号、または前記外部入力音声信号の一方を選択的に音声出力端子に接続する接点を有し、メカ的な操作で切り替えられた状態に連動して前記接点が動作する切替スイッチであり、
前記切替スイッチの状態を検出する検出手段を備え、
前記再生信号生成手段は、前記検出手段により検出されている前記切替スイッチの状態が、前記再生音声信号を前記音声出力端子に接続している状態から、前記外部入力音声信号を前記音声出力端子に接続している状態に切り替わると、予め定められた一定時間だけ、所定のＯＳＤ画像を重ね合わせた再生映像信号を生成する手段であり、
前記映像信号切替手段は、前記検出手段により検出されている前記切替スイッチの状態が、前記再生音声信号を前記音声出力端子に接続している状態から、前記外部入力音声信号を前記音声出力端子に接続している状態に切り替わると、前記一定時間経過後に前記映像出力端子に出力する映像信号を前記再生映像信号から前記外部入力映像信号に切り替える手段である。
【０００８】
この構成では、音声出力端子に出力する音声信号の切替を、メカ的な操作で切り替えられた状態に連動して接点が動作するスイッチで構成したので、音声出力端子に出力される音声信号のディストーション性能を悪化させることがない。また、切替スイッチの状態が再生音声信号を音声出力端子に接続している状態から、外部入力音声信号を音声出力端子に接続している状態に切り替わると、映像信号切替手段が一定時間経過するまで、所定のＯＳＤ画像、具体的には出力を外部信号に切り替えることを示すＯＳＤ画像、を重ね合わせた合成映像の再生映像信号を映像出力端子に出力するので、外部信号に切り替えることをユーザに認識させることができる。
【０００９】
（２）前記検出手段により検出されている前記切替スイッチの状態が、前記再生音声信号を前記音声出力端子に接続している状態から、前記外部入力音声信号を前記音声出力端子に接続している状態に切り替わると、前記一定時間経過するまでの間、前記音声出力端子への前記外部入力音声信号の出力を制限する音声出力制限手段を備えている。
【００１０】
この構成では、切替スイッチの状態が再生音声信号を音声出力端子に接続している状態から、外部入力音声信号を音声出力端子に接続している状態に切り替わると、音声出力制限手段が一定時間経過するまで音声信号の出力を制限する。したがって、再生映像信号が出力されているときに、外部入力音声信号が出力されるという、アンバランスな状態が生じるのを防止でき、ユーザに不快感を感じさせることがない。
【００１１】
（３）前記映像信号切替手段は、前記検出手段により検出されている前記切替スイッチの状態が、前記外部入力音声信号を前記音声出力端子に接続している状態から、前記再生音声信号を前記音声出力端子に接続している状態に切り替わったとき、前記映像出力端子に出力する映像信号を前記外部入力映像信号から前記再生映像信号に切り替える手段である。
【００１２】
この構成では、切替スイッチの状態が外部入力音声信号を音声出力端子に接続している状態から、再生音声信号を音声出力端子に接続している状態に切り替わると、映像信号切替手段がすぐに再生映像信号を映像出力端子に出力するので、外部から内部への切替がスムーズに行われ、ユーザの使い勝手を低下させることがない。
【００１３】
また、前記映像出力端子に出力された映像信号に基づく映像を表示する表示手段と、
前記音声出力端子に出力された音声信号に基づく音声を出力する音声出力手段と、を備えることで、屋外で使用できるポータブルタイプの光ディスク装置として構成することもできる。
【発明の効果】
【００１４】
この発明によれば、出力端子に出力する音声信号の切替を、メカ的な操作で切り替えられた状態に連動して接点が動作するスイッチで構成したので、出力端子に出力される音声信号のディストーション性能を悪化させることがない。また、切替スイッチの状態が再生音声信号を音声出力端子に接続している状態から、外部入力音声信号を音声出力端子に接続している状態に切り替わると、映像信号切替手段が一定時間経過するまで、所定のＯＳＤ画像、具体的には出力を外部信号に切り替えることを示すＯＳＤ画像、を重ね合わせた再生映像信号を映像出力端子に出力するので、外部信号に切り替えることをユーザに認識させることができる。
【発明を実施するための最良の形態】
【００１５】
以下、この発明の実施形態である光ディスク装置について説明する。ここでは、本体に比較的小型の表示部、およびスピーカを備え、屋外でも使用できるもポータブルタイプの光ディスク装置を例にして説明する。
【００１６】
図１は、この発明の実施形態である光ディスク装置の主要部の構成を示すブロック図である。この実施形態の光ディスク装置１は、本体の動作を制御する制御部２と、本体にセットされている光ディスク２０に記録されている映像および音声にかかるデータ（以下、ＡＶデータと言う。）を読み取る読取部３と、読取部３が読み取ったＡＶデータ（映像データ）に基づく再生映像信号を生成する再生映像信号生成部４と、読取部３が読み取ったＡＶデータ（音声データ）に基づく再生音声信号を生成する再生音声信号生成部５と、再生映像信号生成部４で生成された再生映像信号または外部映像入力端子１５介して入力された映像信号（以下、外部入力映像信号と言う。）の一方を映像出力端子６ａに出力する映像信号切替部６と、再生音声信号生成部５で生成された再生音声信号または外部音声入力端子１６を介して入力された音声信号（以下、外部入力音声信号と言う。）の一方を音声出力端子７ａに出力する音声信号切替部７と、映像出力端子６ａに出力された映像信号に基づく映像を表示する表示部８と、音声信号出力端子７ａに出力された音声信号に基づく音声の出力を制限するミュート回路９と、ミュート回路９を介して入力された音声信号に基づく音声を出力するスピーカ１０と、を備えている。
【００１７】
なお、図１では示していないが、制御部２は各部に接続されている。
【００１８】
読取部３は、周知のピックアップヘッド（不図示）を有し、本体にセットされているＣＤやＤＶＤ等の光ディスク２０にレーザ光を照射し、その反射光を検出することで光ディスクに記録されているＡＶデータを読み取る。読取部３が光ディスク２０から読み取ったＡＶデータはＭＰＥＧ方式等でエンコードされたデータある。読取部３が読み取ったＡＶデータにおける映像データは再生映像信号生成部４に入力され、音声データは再生音声信号生成部５に入力される。
【００１９】
再生映像信号生成部４は、読取部３から入力された映像データに基づく再生映像信号を生成する。また、再生映像信号生成部４は、文字や図形からなるＯＳＤ画像を、生成した再生映像信号による映像に重ね合わせた合成映像の再生信号を生成するＯＳＤ機能を有している。再生映像信号生成部４には、図示していないメモリが設けられており、このメモリにＯＳＤ画像にかかる画像データを記憶している。再生映像信号生成部４は、生成した再生映像信号を映像信号切替部６に入力する。また、再生音声信号生成部５は、読取部３から入力された音声データに基づく再生音声信号を生成する。再生音声信号生成部５は、生成した再生音声信号を音声信号切替部７に入力する。映像信号切替部６には、再生映像信号に加えて、外部映像入力端子１５を介して外部入力映像信号が入力される。映像信号切替部６は、所謂マルチプレクサであり、入力されている再生映像信号、または外部入力映像信号の一方を出力端子６ａに出力する。映像信号切替部６は、制御部２からの指示にしたがって、映像出力端子６ａに出力する映像信号を切り替える。
【００２０】
音声信号切替部７には、再生音声信号に加えて外部音声入力端子１６を介して外部入力音声信号が入力される。音声信号切替部７は、メカ的な操作で切り替えられた状態に連動して接点が動作するスライドスイッチで構成されている。このスライドスイッチは、操作された状態が保持されるロック式のスイッチである。ユーザが、スライドスイッチをメカ的に操作し、その状態を内部選択状態（一方の側にスライドさせた状態）、または外部選択状態（他方の側にスライドさせた状態）に切り替える。
【００２１】
図２は、この実施形態の光ディスク装置における音声信号切替部の回路構成を示す図である。スライドスイッチ２１は、図２に示すように、その状態に連動して動作する接点を３つ有する。接点２１ａは、音声出力端子７ａに対する再生音声信号の接続、切断を切り替える。接点２１ｂは、音声出力端子７ａに対する外部入力音声信号の接続、切断を切り替える。接点２１ｃは、スライドスイッチ２１の状態を制御部２に検出させる信号線に設けた接点であり、グラウンドとの接続、切断を切り替える。スライドスイッチ２１の状態が内部選択状態であるとき、図２（Ａ）に示すように、接点２１ａが再生音声信号を音声出力端子７ａに接続し、接点２１ｂが外部入力音声信号を音声出力端子７ａから切断し、接点２１ｃがスライドスイッチ２１の状態を制御部２に検出させる信号線をグランドに接続する。一方、スライドスイッチ２１の状態が外部選択状態であるとき、図２（Ｂ）に示すように、接点２１ａが再生音声信号を音声出力端子７ａから切断し、接点２１ｂが外部入力音声信号を音声出力端子７ａに接続し、さらに接点２１ｃがスライドスイッチ２１の状態を制御部２に検出させる信号線をグランドから切断する。スライドスイッチ２１は、ユーザが操作しやすく、またその状態を確認しやすい位置、例えば本体正面や側面に取り付けている。
【００２２】
表示部８は、映像出力端子６ａに出力されている映像信号（再生映像信号、または外部入力映像信号）に基づく映像を表示する。スピーカ１０は、音声出力端子７ａに出力されている音声信号（再生音声信号、または外部入力音声信号）に基づく音声を出力する。音声出力端子７ａとスピーカ１０との間に設けたミュート回路９は、制御部２からの指示にしたがって、音声出力端子７ａに出力されている音声信号をスピーカ１０に入力するのを制限する。具体的には、ミュート回路９は制御部２からオン状態が指示されているとき、スピーカ１０に対して音声出力端子７ａに出力されている音声信号の入力を禁止する。反対に、制御部２からオフ状態が指示されているとき、スピーカ１０に対して音声出力端子７ａに出力されている音声信号を入力する。
【００２３】
次に、この実施形態の光ディスク装置１の動作について説明する。光ディスク装置１は、スライドスイッチ２１の状態が内部信号を選択する内部選択状態であるとき、制御部２は映像信号切替部６に対して再生映像信号を映像出力端子６ａに出力することを指示している。制御部２は、スライドスイッチ２１の接点２１ｃを設けた信号線がグランドに接続されているかどうかを検出することにより、スライドスイッチ２１の状態が内部選択状態であるか、外部選択状態であるかを検出する。再生映像信号生成部４は、読取部３が光ディスク２０から読み取ったＡＶデータの映像データに基づく再生映像信号を生成し、映像信号切替部６に入力する。また、再生音声信号生成部５は読取部３が光ディスク２０から読み取ったをＡＶデータの音声データに基づく再生音声信号を生成し、音声信号切替部７に入力する。映像信号切替部６は、制御部２からの指示にしたがって、再生映像信号生成部４で生成された再生映像信号を出力端子６ａに出力する。これにより、表示部８では再生映像信号に基づく映像、すなわち光ディスク２０に記録されている映像データに基づく映像、が表示される。このとき、映像信号切替部６は外部映像入力端子１５を介して外部入力映像信号が入力されていても、この外部入力映像信号を映像出力端子６ａに出力しない。
【００２４】
また、音声信号切替部７は、スライドスイッチ２１が内部選択状態であるので、図２（Ａ）に示すように、スライドスイッチ２１の接点２１ａを介して再生音声信号生成部５で生成された再生音声信号を音声出力端子７ａに出力する。これにより、スピーカ１０から再生音声信号に基づく音声、すなわち光ディスク２０に記録されているＡＶデータの音声、が出力される。このとき、音声信号切替部７は外部音声入力端子１６を介して外部入力音声信号が入力されていても、この外部入力音声信号を映像出力端子６ａに出力しない。
【００２５】
なお、ミュート回路９が制御部２によりオン状態が指示されている場合には、音声出力端子７ａに出力されている再生音声信号はミュート回路９によりスピーカ１０への入力が禁止されるので、スピーカ１０から音声が出力されない。ミュート回路９のオン／オフ状態の切り替えは、図示していない操作部で行える。
【００２６】
また、スライドスイッチ２１の状態が外部信号を選択する外部選択状態であるとき、制御部２は映像信号切替部６に対して外部入力映像信号を映像出力端子６ａに出力することを指示している。制御部２は、上述したようにスライドスイッチ２１の接点２１ｃを設けた信号線がグランドに接続されているかどうかを検出することにより、スライドスイッチ２１の状態が内部選択状態であるか、外部選択状態であるかを検出する。このとき、再生映像信号生成部４は、読取部３が光ディスク２０からＡＶデータを読み取っていると、読取部３が読み取ったＡＶデータの映像データに基づく再生映像信号を生成している。また、再生音声信号生成部５は読取部３が光ディスク２０からＡＶデータを読み取っていると、読取部３が読み取ったＡＶデータの音声データに基づく再生音声信号を生成している。映像信号切替部６は、制御部２からの指示にしたがって、外部映像入力端子１５を介して入力されている外部入力映像信号を出力端子６ａに出力する。これにより、表示部８では外部映像入力端子１５を介して入力されている外部入力映像信号に基づく映像が表示される。このとき、映像信号切替部６は再生映像信号を映像出力端子６ａに出力しない。
【００２７】
また、音声信号切替部７は、スライドスイッチ２１が外部選択状態であるので、図２（Ｂ）に示すように、スライドスイッチ２１の接点２１ｂを介して外部入力音声信号を音声出力端子７ａに出力する。これにより、スピーカ１０から外部入力音声信号に基づく音声が出力される。このとき、音声信号切替部７は再生音声信号を音声出力端子７ａにしない。
【００２８】
なお、ミュート回路９が制御部２によりオン状態が指示されている場合には、音声出力端子７ａに出力されている外部入力音声信号はミュート回路９によりスピーカ１０への入力が禁止されるので、スピーカ１０から音声が出力されない。
【００２９】
このように、音声信号出力切替部７は、音声出力端子７ａに出力する音声信号を接点２１ａ、２１ｂによる接続／切断で切り替える構成であるので、音声出力端子７ａに出力される音声信号のディストーション性能を悪化させることがない。したがって、スライドスイッチにより、内部信号、外部信号のどちらが選択されて、ユーザに歪みのない適正な音声を聴かせることができ、信頼性の向上が図れる。
【００３０】
次に、スライドスイッチ２１の状態が内部選択状態から、外部選択状態に切り替えられたときの動作について説明する。図３は、この外部選択切替動作を示すフローチャートである。制御部２は、接点２１ｃを設けた信号線がグランドに接続されている状態から、グラウンドから切断された状態に変化したときに、スライドスイッチ２１がメカ的に操作されて内部選択状態から外部選択状態に切り替えられたと判断し、この図３に示す処理を実行する。
【００３１】
まず、制御部２は、ミュート回路９に対してオン状態を指示する（ｓ１）。この指示にしたがって、ミュート回路９がスピーカ１０への音声信号の入力を禁止する。これにより、スピーカ１０からの音声出力が停止する。このとき、スライドスイッチ２１の接点２１ａ〜２１ｃは図２（Ｂ）に示す状態であり、ミュート回路９がスピーカ１０への入力を禁止した音声信号は外部入力音声信号である。また、この時点では、制御部２は映像信号切替部６に対して映像出力端子６ａに出力する映像信号を再生映像信号から外部入力映像信号に切り替えることを指示していない。したがって、この時点では、映像信号切替部６は再生映像信号を映像出力端子に出力しており、表示部８では再生映像信号に基づく映像が表示されている。
【００３２】
制御部２は、再生映像信号生成部４に対して、外部選択状態に切り替えることを示すＯＳＤ画像（例えば「ＡＵＸ」の文字画像）を読取部３が光ディスク２０から読み取ったＡＶデータの映像データに基づく再生映像に重ね合わせた合成映像の生成を指示する（ｓ２）。再生映像信号生成部４は、この指示にしたがって、外部選択状態に切り替えることを示すＯＳＤ画像（例えば「ＡＵＸ」の文字画像）を読取部３が光ディスク２０から読み取ったＡＶデータの映像データに基づく再生映像に重ね合わせた合成映像を生成する。この合成映像にかかる再生映像信号に基づく映像が表示部８において表示される。したがって、ユーザに内部選択状態から外部選択状態に切り替えることを認識させることができる。
【００３３】
制御部２は、スライドスイッチ２１が内部選択状態から外部選択状態に切り替えられたと判断してから、予め定められている一定時間、例えば５秒程度、経過すると、映像信号切替部６に対して映像出力端子６ａに出力する映像信号を再生映像信号から外部入力映像信号に切り替えることを指示する（ｓ３、ｓ４）。映像信号切替部６は、この指示にしたがって外部映像入力端子１５を介して入力されている外部入力映像信号を映像出力端子６ａに出力する。したがって、表示部８では外部映像入力端子１５を介して入力されている外部入力映像信号に基づく映像が表示される。また、制御部２は、ミュート回路９に対してオフ状態を指示する（ｓ５）。これにより、ミュート回路９がオフ状態となり、スピーカ１０から外部入力音声信号に基づく音声が出力される。さらに、制御部２は、再生映像信号生成部４に対して合成映像の生成停止を指示し（ｓ６）、本処理を終了する。
【００３４】
このように、この実施形態の光ディスク装置１は、表示部８において外部選択状態に切り替えることを示すＯＳＤ画像を重ね合わせた合成映像を表示している間、ミュート回路９をオフ状態に制御し、外部入力音声信号に基づく音声がスピーカ１０から出力されるのを禁止するので、表示部８において再生映像信号に基づく映像が表示され、スピーカ１０から外部入力音声信号に基づく音声が出力されるというアンバランスな状態が生じることがなく、ユーザに不快感を感じさせるということもない。
【００３５】
また、スライドスイッチ２１が内部選択状態から外部選択状態に切り替えられてから、映像出力端子６ａに出力する映像信号を再生映像信号から外部入力映像信号に切り替えるタイミングを予め定めた一定時間だけ遅らせ、この一定時間の間に外部入力に切り替えることを示すＯＳＤ画像を重ね合わせた合成映像を表示部８に表示させるので、ユーザに外部選択状態に切り替えることを確認させることができる。
【００３６】
さらに、ｓ６で再生映像信号生成部４に対して合成映像の生成停止を指示するので、再生映像信号生成部４に対して無駄な処理（表示部８で表示されない合成映像を生成する処理）を行わせることもない。
【００３７】
次に、スライドスイッチ２１が外部選択状態から内部選択状態に切り替えられたときの動作について説明する。図４は、この内部選択切替動作を示すフローチャートである。制御部２は、接点２１ｃを設けた信号線がグランドから切断されている状態から、グラウンドに接続された状態に変化したときに、スライドスイッチ２１がメカ的に操作されて外部選択状態から内部選択状態に切り替えられたと判断し、この図４に示す処理を実行する。
【００３８】
まず、制御部２は映像信号切替部６に対して映像出力端子６ａに出力する映像信号を外部入力映像信号から再生映像信号に切り替えることを指示する（ｓ１１）。映像信号切替部６は、この指示にしたがって再生映像信号生成部４で生成された再生映像信号を映像出力端子６ａに出力する。したがって、表示部８では再生映像信号生成部４で生成された再生映像信号に基づく映像が表示される。このとき、スライドスイッチ２１の接点２１ａ〜２１ｃは図２（Ａ）に示す状態であり、スピーカ１０へはミュート回路９を介して再生音声信号が入力されている。スピーカ１０からは再生音声信号に基づく音声が出力されている。
【００３９】
制御部２は、外部選択状態から内部選択状態に切り替えたことを示すＯＳＤ画像（例えば「ＤＶＤ」の文字画像）を読取部３が光ディスク２０から読み取ったＡＶデータの映像データに基づく再生映像に重ね合わせた合成映像の生成を指示する（ｓ１２）。再生映像信号生成部４は、この指示にしたがって、内部選択状態に切り替えたことを示すＯＳＤ画像を読取部３が光ディスク２０から読み取ったＡＶデータの映像データに基づく再生映像に重ね合わせた合成映像を生成する。この合成映像にかかる再生映像信号に基づく映像が表示部８において表示される。したがって、ユーザに外部選択状態から内部選択状態に切り替えたことを認識させることができる。
【００４０】
制御部２は、スライドスイッチ２１が外部選択状態から内部選択状態に切り替えられたと判断してから、予め定められている一定時間、例えば５秒程度、経過すると、再生映像信号生成部４に対して合成映像の生成停止を指示し（ｓ１３、ｓ１４）、本処理を終了する。
【００４１】
このように、この実施形態の光ディスク装置１は、スライドスイッチ２１が外部選択状態から内部選択状態に切り替えられると、すぐに表示部８において内部選択状態に切り替えたことを示すＯＳＤ画像を重ね合わせた合成映像を表示するので、外部選択状態から内部選択状態に切り替えたことをユーザに速やかに認識させることができる。
【００４２】
なお、上記実施形態では、表示部８およびスピーカ１０を備えたポータブルタイプの光ディスク装置１で本願発明を説明したが、表示部８およびスピーカ１０を備えていない据え置き型の光ディスク装置であってもよい。
【図面の簡単な説明】
【００４３】
【図１】本発明の実施形態である光ディスク装置の主要部の構成を示すブロック図である。
【図２】本発明の実施形態である光ディスク装置の音声信号切替部の構成を示す図である。
【図３】発明の実施形態である光ディスク装置における外部選択切替動作を示すフローチャートである。
【図４】発明の実施形態である光ディスク装置における内部選択切替動作を示すフローチャートである。
【符号の説明】
【００４４】
１−光ディスク装置
２−制御部
３−読取部
４−再生映像信号生成部
５−再生音声信号生成部
６−映像信号切替部
６ａ−映像出力端子
７−音声信号切替部
７ａ−音声出力端子
８−表示部
９−ミュート回路
１０−スピーカ
１５−外部映像信号入力端子
１６−外部音声信号入力端子
２０−光ディスク
２１−スライドスイッチ
２１ａ〜２１ｃ−接点
【図１】
2006148716.tif 000003
【図２】
2006148716.tif 000004
【図３】
2006148716.tif 000005
【図４】
2006148716.tif 000006